(57)【要約】【課題】左右の光学系の光軸を、ユーザの視点に対して上下左右方向に精度よく調整可能とする。【解決手段】双眼鏡（１）は、合焦レンズ（１４）を含む一対の鏡筒（５）と、一対の鏡筒の間に配置され、一対の鏡筒の少なくとも一端の間隔を変更させる方向に鏡筒を回転させる一対の光軸変更部（９）と、を含む。
2017069188.tif 000002
【特許請求の範囲】
【請求項１】
合焦レンズを含む一対の鏡筒と、
前記一対の鏡筒の間に配置され、前記一対の鏡筒の少なくとも一端の間隔を変更させる方向に前記鏡筒を回転させる一対の光軸変更部と、を含む、双眼鏡。
【請求項２】
前記一対の鏡筒の間に配置され、前記合焦レンズをともに移動させて、前記合焦レンズを含む光学系の合焦位置を調整する合焦部を含み、
前記光軸変更部は、前記合焦部と前記鏡筒との間に配置される、請求項１に記載の双眼鏡。
【請求項３】
前記光軸変更部は、前記合焦部と前記光学系の光軸とを含む面に沿って前記鏡筒を回転させる、請求項２に記載の双眼鏡。
【請求項４】
前記光軸変更部は、前記光学系のうち最も視点に近いレンズ部材から前記光学系の射出瞳位置までの間のいずれかの位置を回転中心として前記鏡筒が回転するように、前記鏡筒の移動を規制する第１ガイド部を有する、請求項１から３の何れか一項に記載の双眼鏡。
【請求項５】
前記一対の鏡筒を支持するボディを有し、
前記光軸変更部は、
前記合焦部と前記鏡筒とを接続し、前記ボディの一面または前記ボディに固定された部材の一面に対し滑り移動する摺動面を含む取り付け部材と、
前記摺動面と、前記ボディまたは前記部材の一面とを互いに引き寄せる方向に力を付与する付与部と、を含み、
前記光軸変更部は、前記摺動面に沿って前記鏡筒を回転させる、請求項２または３に記載の双眼鏡。
【請求項６】
前記ボディは前記取り付け部材を介して前記鏡筒を支持する、請求項５に記載の双眼鏡。
【請求項７】
前記光軸変更部は、前記光学系のうち最も視点に近いレンズ部材から前記光学系の射出瞳位置までの間のいずれかの位置を回転中心として前記鏡筒が回転するように、前記鏡筒の移動を規制する第１ガイド部を有し、
前記第１ガイド部は、前記取り付け部材に設けられる第１溝部および前記ボディに固定され前記第１溝部に嵌め合わされる第１ピンを含む、請求項５または６に記載の双眼鏡。
【請求項８】
前記光軸変更部は、前記第１溝部の一端部と前記第１ピンとを押し合わせるように前記取り付け部材に力を加える弾性体を含む、請求項７に記載の双眼鏡。
【請求項９】
前記第１溝部の内壁と前記第１ピンとの摩擦係数が０．４以下である、請求項７または８に記載の双眼鏡。
【請求項１０】
前記合焦レンズとともに前記光学系の光軸方向に移動する移動体と、
前記移動体の移動と連動して前記取り付け部材を所定の移動経路に沿って移動させる第２ガイド部と、を備え、
前記第２ガイド部は、前記移動体に設けられる第２ピンと、前記取り付け部材に設けられ前記第２ピンと嵌め合わされる第２溝部とを含む、請求項５から９の何れか一項に記載の双眼鏡。
【請求項１１】
前記第２溝部は、前記光学系の光軸方向と平行な第１部と、前記光学系の光軸に対する左右方向に前記第１部から曲がって延びる第２部とを含む、請求項１０に記載の双眼鏡。
【請求項１２】
前記移動体は、自在継手により前記合焦レンズと接続される、請求項１０または１１に記載の双眼鏡。
【発明の詳細な説明】
【技術分野】
【０００１】
本発明は、双眼鏡に関する。
【背景技術】
【０００２】
双眼鏡は、光学系を保持する左右の鏡筒があり、ユーザの眼幅に合わせて左右の鏡筒の幅を調整可能である。双眼鏡は、眼幅調整時等に左右の光軸がずれると目の輻輳調整力を超えたとき目に疲労がおこるため、規格により左右の光軸のずれの誤差が規格により規定されている。ＩＳＯ１４１３３−１、ＪＩＳ７３１３等の規格では、一般品の１０倍双眼鏡において、左右光軸平行度は、光軸の上下発散が３分以内、左右発散が１０分以内、左右収束が４分以内であることが求められる。【０００３】
ところで、肉眼で近距離のものを見る場合、左右の目に入射する光線のなす角度（輻輳角）が大きくなる。この場合、対象物を左右の目のそれぞれの視野中心に捉えることで、左右の目の各視点からの対象物の像を融像し（重ねて）、対象物を１つの像で認識することができる。一方、双眼鏡は、遠方を見るだけでなく近距離を見るのにも利用できれば便利であるが、左右の光軸が互いに平行に保たれる場合、左右の目の各視点で対象物の像が視野中心から鼻側にずれることになる。そのため、左右の目の各視点で得られる像を融像するには、倍率分輻輳角が大きくなり、目の負担が大きい。また、この場合、ユーザによっては、左右の像が融合できない場合もある。そこで、フォーカシング機構と連動して対物光学系の間隔を変える偏心手段により、近距離での左右の光軸の輻輳角を補正する双眼鏡が提案されている（例えば、下記特許文献１参照）。
【先行技術文献】
【特許文献】
【０００４】
【特許文献１】特許第３１８９３２８号明細書
【発明の概要】
【０００５】
上記の課題を解決する双眼鏡は、合焦レンズを含む一対の鏡筒と、一対の鏡筒の間に配置され、一対の鏡筒の少なくとも一端の間隔を変更させる方向に鏡筒を回転させる一対の光軸変更部と、を含む。
【図面の簡単な説明】
【０００６】
【図１】第１実施形態に係る双眼鏡の一例を示す図である。
【図２】双眼鏡の一例を示す図である。
【図３】双眼鏡の一例を示す断面図である。
【図４】双眼鏡の一例を示す斜視図である。
【図５】双眼鏡の一例を示す断面図である。
【図６】近距離モードにおける双眼鏡を示す断面図である。
【図７】近距離モードにおける双眼鏡を示す斜視図である。
【図８】光軸の回転中心による双眼鏡の特性を示す図である。
【図９】第２実施形態に係る双眼鏡の一例を示す図である。
【図１０】第１回転部材の動作を示す図である。
【発明を実施するための形態】
【０００７】
［第１実施形態］
以下、本発明の各実施形態について図面を参照しながら説明する。ただし、本発明はこれに限定されるものではない。また、図面においては実施形態を説明するため、一部分を大きくまたは強調して記載するなど適宜縮尺を変更して表現している。また、以下の各図に示すＸＹＺ座標系を適宜用いて方向を説明する。Ｘ方向、Ｙ方向及びＺ方向のそれぞれは、適宜、図中の矢印の方向が＋方向（例、＋Ｘ方向）であり、その反対方向が−方向（−Ｘ方向）であるとする。
【０００８】
図１は、第１実施形態に係る双眼鏡１の一例を示す図である。双眼鏡１は、遠距離にある物体の観察などに利用される望遠モードと、望遠モードに比べて近距離にある物体の観察などに利用される近距離モードとを有する。双眼鏡１の使用時において、上下方向はＺ方向であり、＋Ｚ方向が上方向、−Ｚ方向が下方向である。また、双眼鏡１の使用時において、左右方向はＸ方向であり、左方向が−Ｘ方向、右方向が＋Ｘ方向である。図１（Ａ）は、望遠モードの双眼鏡１を上方（＋Ｚ方向）から見た図であり、図１（Ｂ）は近距離モードの双眼鏡１を上方（＋Ｚ方向）から見た図である。
【０００９】
図１（Ａ）に示すように、双眼鏡１は、左眼用の光学系２Ｌおよび右眼用の光学系２Ｒを備える。以下、左眼用の光学系２Ｌおよび右眼用の光学系２Ｒを包括して、適宜、左右一対の光学系２という。双眼鏡１は、左眼用の光学系２Ｌの光軸３Ｌの向きおよび右眼用の光学系２Ｒの光軸３Ｒの向きを、左右一対の光学系２の合焦位置（焦点距離）に応じて変更する。以下、光軸３Ｌと光軸３Ｒとを区別しない場合、適宜、光軸３と表す。左眼用の光学系２Ｌの光軸３Ｌと、右眼用の光学系２Ｒの光軸３Ｒは、中心軸４に関して対称的に配置される。望遠モードにおいて、左右一対の光学系２のそれぞれの光軸３は、Ｙ方向と平行に設定される。
【００１０】
また、図１（Ｂ）に示すように、近距離モードにおいて、左右一対の光学系２の光軸３の向きは、それぞれ、視点から離れる方向（−Ｙ方向）に向かうにつれて中心軸４に近くなるように、設定される。近距離モードにおける左右一対の光学系２の光軸３の向きは、望遠モードと比較して、右眼の視線（視軸）と左眼の視線（視軸）との角度（輻輳角）が小さくなるよう設定される。近距離モードにおける左右一対の光学系２の光軸３の向きは、望遠モードと比較して、左眼用の光学系２Ｌと右眼用の光学系２Ｒとで対物レンズ１２が互いに接近する方向に設定される。左右一対の光学系２のそれぞれの光軸３の向きを変更（調整）する機構については、後に図３などを参照して説明する。
【００１１】
図２は、双眼鏡１を＋Ｙ方向から見た図である。双眼鏡１は、左眼用の光学系２Ｌの光軸３Ｌと右眼用の光学系２Ｒの光軸３Ｒとの間隔（以下、眼幅ＰＤという）を調整可能である。双眼鏡１は、左眼用の光学系２Ｌと右眼用の光学系２Ｒとの相対位置を変更可能することにより、眼幅ＰＤを調整可能である。ここでは、左眼用の光学系２Ｌおよび右眼用の光学系２Ｒは、それぞれ、中心軸４の周りで回転可能であり、図２（Ａ）に示すように、左眼用の光学系２Ｌの光軸３Ｌと中心軸４と右眼用の光学系２Ｒの光軸３Ｒとが一直線上に並ぶ状態において、眼幅ＰＤが最大になる。また、図２（Ｂ）に示すように、左眼用の光学系２Ｌと右眼用の光学系２Ｒとが互いに近づく向きに回転した状態において、光軸３Ｌと中心軸４と光軸３Ｒとを結ぶ線が折れ曲がり、眼幅ＰＤが図２（Ａ）の状態よりも狭くなる。
【００１２】
図３は、望遠モードにおける双眼鏡１を上方（＋Ｚ方向）から見た断面図である。図４は双眼鏡１の断面斜視図である。図５は双眼鏡１の断面図である。図５（Ａ）は、図３に示すＡ−Ａ線に沿った断面を示す図である。図５（Ｂ）は、図３に示すＢ−Ｂ線に沿った断面を示す図である。図５（Ｃ）は、図３に示すＣ−Ｃ線に沿った断面を示す図である。図５（Ｄ）は、図３に示すＤ−Ｄ線に沿った断面を示す図である。なお、図３等において、双眼鏡１の左側のみを示すが、双眼鏡１の右側の部分は、双眼鏡１の左側の部分と同様の構造である。このため、双眼鏡１の左側の部分を説明し、右側の部分の説明を適宜、省略あるいは簡略化する。また、図４では、鏡筒５の各部を見やすくするために、光学系２Ｌの図示を省略した。
【００１３】
図３に示すように、双眼鏡１は、光学系２Ｌと、光学系２Ｌを支持する鏡筒５と、鏡筒５を支持するボディ６と、光学系２Ｌの合焦位置を調整する合焦部７と、移動体８と、光学系２Ｌの光軸３Ｌの向きを変更する一対の光軸変更部９とを備える。
【００１４】
左眼用の光学系２Ｌは、対物レンズ１２、接眼レンズ１３、及び合焦レンズ１４を含む。対物レンズ１２には観察対象の物体から光が入射し、対物レンズ１２は、この光を合焦レンズ１４に導く。合焦レンズ１４は、光学系２Ｌの焦点位置、焦点距離を調整する。合焦レンズ１４は、対物レンズ１２から接眼レンズ１３までの光路に配置される。合焦レンズ１４は、光軸３Ｌ方向に移動し、光学系２Ｌの焦点を調整する。正立プリズム１５は、対物レンズ１２により形成される倒立像を正立像に変換する。正立プリズム１５は、対物レンズ１２から接眼レンズまで１３の光路に配置される。ユーザは、正立プリズムにより変換された正立像を、接眼レンズ１３を介して観察可能である。接眼レンズ１３は、レンズ部材１３ａおよびレンズ部材１３ｂを含む。レンズ部材１３ａは、接眼レンズ１３のうち最も視点に近いレンズ部材である。
【００１５】
なお、双眼鏡１は、正立プリズム１５を備えなくてもよく、例えばリレー光学系などにより倒立像を正立像に変換してもよい。また、対物レンズ１２、接眼レンズ１３、及び合焦レンズ１４の少なくとも１つは、複数の光学部品（例、レンズ部材、反射部材）を含んでもよい。また、光学系２Ｌは、像の倍率を変更するズーム光学系を含んでいてもよく、合焦レンズ１４は、像の倍率の変更に利用されてもよい。
【００１６】
鏡筒５は、光学系２Ｌを保持する。鏡筒５は、対物レンズ１２と、合焦レンズ１４と、正立プリズム１５と、接眼レンズ１３とを、その内部に保持する。
【００１７】
鏡筒５は、鏡筒本体５Ａと、対物レンズ保持部１６と、合焦レンズ保持部１７と、正立プリズム保持部１８と、接眼レンズ保持部１９と、を備える（図４参照）。鏡筒本体５Ａは、筒状の部材である。対物レンズ保持部１６は、対物レンズ１２を保持し、対物レンズ１２を鏡筒本体５Ａに対して固定する。対物レンズ保持部１６は、対物レンズ１２を移動可能に保持してもよい。合焦レンズ保持部１７は、合焦レンズ１４を保持し、鏡筒本体５Ａの内壁に沿って移動可能である。合焦レンズ保持部１７は、例えば、ガイド部材（図示せず）などに案内され、光軸３Ｌに平行な方向における所定の範囲を移動する。正立プリズム保持部１８は、正立プリズム１５を保持し、正立プリズム１５を鏡筒本体５Ａに対して固定する。接眼レンズ保持部１９は、接眼レンズ１３を保持し、接眼レンズ１３を鏡筒本体５Ａに対して固定する。接眼レンズ保持部１９は、接眼レンズ１３を移動可能に保持してもよい。
【００１８】
ボディ６は、取り付け部材２７を介して、鏡筒５を支持する。ボディ６は、例えば、その内部に鏡筒５を収容してもよい。また、ボディ６は、鏡筒５を移動可能に支持する。ボディ６と鏡筒５との間には、鏡筒５がボディ６の内部で移動可能な空間（可動スペース）が設けられる。また、ボディ６において、視点に近づく方向（−Ｙ方向）の端部には、目当て部２２が設けられる。眼幅ＰＤ（図２参照）を変更する際に、ボディ６において鏡筒５を支持する部分は、中心軸４を回転中心として回転可能である。なお、鏡筒５を支持する部分は、中心軸４を回転中心とする回転が不能でもよい。例えば、眼幅ＰＤを変更する機構は、左眼用の光学系２Ｌと右眼用の光学系２Ｒとが互いに接近するように、これら光学系２Ｌ、２Ｒをスライドさせる機構でもよい。また、双眼鏡１は、眼幅ＰＤを変更する機構を備えなくてもよい。
【００１９】
合焦部７は、一対の鏡筒５の間に配置され、合焦レンズ１４を光学系２Ｌの光軸３Ｌに平行な方向に移動させる。光学系２Ｌの合焦位置は、合焦レンズ１４の位置に応じた位置に調整される。合焦部７は、合焦軸２３、合焦ノブ２４、移動体８、及び自在継手４５を備える。合焦軸２３は、中心軸４と同軸に配置される。合焦軸２３は、中心軸４と平行な方向（Ｙ方向）に移動可能である。合焦レンズ１４は、合焦軸２３の移動に伴って、光学系２Ｌの光軸３Ｌと平行な方向に移動する。合焦軸２３は、−Ｘ方向の端部にねじ山２５を有するシャフトである。
【００２０】
合焦ノブ２４は、光学系２Ｌの合焦位置が調整される際に、ユーザが操作する部分である。合焦ノブ２４は、合焦軸２３に接続される。合焦ノブ２４は、合焦軸２３と同軸（中心軸４と同軸）に配置される。合焦ノブ２４は、合焦軸２３と同軸に回転可能である。合焦ノブ２４は、合焦軸２３のねじ山２５と噛み合わされるねじ山２６を有する。合焦ノブ２４の回転に伴ってねじ山２５が回転し、合焦軸２３は中心軸４と平行な方向（Ｙ方向）に移動する。
【００２１】
移動体８は、上方（＋Ｚ方向）から見てＬ字状の形状であり、Ｘ方向に延びる部分とＹ方向に延びる部分とを有する。図５（Ｃ）に示すように、移動体８のうちＸ方向に延びる部分は、その−Ｘ方向の端部が合焦軸２３と接続され、その＋Ｘ方向の端部が自在継手４５と接続される。移動体８は、例えば、合焦軸２３を回転可能に支持する軸受などを含む。移動体８は、Ｙ方向における合焦軸２３との相対位置が固定される。移動体８は、合焦軸２３の移動に伴って、中心軸４と平行な方向（Ｙ方向）に移動する。移動体８は、合焦ノブ２４の回転角に応じた変位だけ移動する。
【００２２】
自在継手４５は、移動体８と合焦レンズ保持部１７とを接続する。自在継手４５（ユニバーサルジョイント）は、球状部４５ａと、球状部４５ａと嵌め合わされる受け部４５ｂと、球状部４５ａから棒状に延びる軸部４５ｃとを含む。受け部４５ｂは、移動体８においてＸ方向に延びる部分の−Ｘ方向の端部に設けられる。軸部４５ｃは、鏡筒５に設けられる開口部２１の内側を通って、鏡筒５の内側まで延びている。軸部４５ｃは、球状部４５ａに対して反対側の部分が合焦レンズ保持部１７と固定される。このように、合焦レンズ保持部１７は、自在継手４５および移動体８を介して合焦軸２３と接続される。合焦レンズ保持部１７は、合焦軸２３がＹ方向に移動することにより、自在継手４５からＹ方向の力を受けて、Ｙ方向に移動する。
【００２３】
図３の説明に戻り、光軸変更部９は、一対の鏡筒５の間に配置され、一対の鏡筒５の少なくとも一端の間隔を変更させる方向に鏡筒５を回転させる。また、光軸変更部９は、合焦部７と鏡筒５との間に配置され、合焦レンズ１４の移動と連動して鏡筒５を移動させ、光学系２Ｌの光軸３Ｌの向きを光学系２Ｌの合焦位置に応じて変更する。光軸変更部９は、上記した移動体８の移動により鏡筒５を移動させ、光軸３Ｌの向きを変更する。すなわち、移動体８の移動により、合焦部７が光学系２Ｌの合焦位置を調整するとともに、光軸変更部９が光軸３Ｌの向きが変更する。光軸変更部９は、接眼レンズ１３のうち最も視点に近い（目側）のレンズ部材１３ａ内から接眼レンズ１３の射出瞳位置までの間（レンズ部材１３ａの端面１３ｃ上、射出瞳面上を含む）のいずれかの位置の回転中心Ｃ１の周りで、鏡筒５を回転（回転移動、回動）させる。回転中心Ｃ１は、レンズ部材１３ａのうち最も視点に近い端面１３ｃ上に設定される。光軸変更部９を合焦部７と一対の鏡筒５との間に配置することにより、双眼鏡１の左眼用の光学系の光軸と右眼用の光学系の光軸とを精度よく調整することが可能になるとともに、双眼鏡１の高さ方向（＋Ｚ方向、−Ｚ方向）の寸法を小さく抑えられる。したがって、光軸変更部９は、一対の鏡筒５の端部のうち、視点に近い端部の間隔をほぼ保持し、視点と反対側の端部の間隔を変更させる方向に鏡筒５を回転させている。
【００２４】
光軸変更部９は、取り付け部材２７を含む。取り付け部材２７（図５（Ａ）〜図５（Ｃ）参照）は、鏡筒５とボディ６とを接続する。取り付け部材２７は、ＸＺ平面と平行な断面の形状がＬ字状である。取り付け部材２７は、ＸＹ平面に平行な下面を有する底部２７ａと、ＹＺ平面に平行な側面を有する側部２７ｂとを有する。ボディ６には定盤部材２８が設けられ、取り付け部材２７は、底部２７ａの下面が定盤部材２８の上面に接して配置される。定盤部材２８はボディ６と一体的に形成されていてもよいし、接着やねじ止めによりボディ６に固定されていてもよい。ここで、ボディ６は定盤部材２８を介して取り付け部材２７を支持するともいえる。取り付け部材２７の底面２７aと定盤部材２８の上面とは一対の摺動面を形成する。底部２７ａの下面および定盤部材２８の上面は、それぞれ、所定の平面度（粗度が所定値以下）に形成される。取り付け部材２７は、その底部２７ａが定盤部材２８の上面と接した状態で滑り移動することで、定盤部材２８と接して左右方向に相対的に移動可能である。なお、取り付け部材２７は、ベアリングを介して定盤部材２８と接続されることで、定盤部材２８と相対移動可能でもよい。取り付け部材２７（図５（Ｂ）参照）は、その側部２７ｂが鏡筒５に接続される。側部２７ｂは、締結部材２９により鏡筒５に固定される。鏡筒５は、取り付け部材２７と固定されていることにより、取り付け部材２７と一体的に移動する。また、一対の摺動面は合焦部７と光学系２Ｌの光軸３Ｌとを含む面に沿って滑り移動されることが好ましい。これにより双眼鏡１の左眼用の光学系の光軸と右眼用の光学系の光軸とを精度よく調整することが可能になる。
【００２５】
取り付け部材２７は、図３に示す複数の第１ガイド部（第１ガイド部３１ａ、第１ガイド部３１ｂ）により移動経路が定められる。第１ガイド部３１ａ、第１ガイド部３１ｂは、それぞれ、回転中心Ｃ１を中心とする円弧状（円周の一部）である。第１ガイド部３１ａは、第１ガイド部３１ｂよりも視点側（＋Ｙ方向）に配置される。第１ガイド部３１ａは、自在継手４５に対して＋Ｘ方向に配置され、第１ガイド部３１ｂは、自在継手４５に対して−Ｘ方向に配置される。取り付け部材２７は、複数の第１ガイド部（第１ガイド部３１ａ、第１ガイド部３１ｂ）により移動経路が定められるので、移動時の移動精度がよい。なお、第１ガイド部（第１ガイド部３１ａ、第１ガイド部３１ｂ）の数は、任意に選択され、例えば３以上でもよい。
【００２６】
第１ガイド部３１ａは、取り付け部材２７の＋Ｙ方向の端部に配置される。第１ガイド部３１ａは、第１ピン３２ａと、第１ピン３２ａと嵌め合わされる第１溝部３３ａ（スリット部）とを含む。第１ピン３２ａは、定盤部材２８に設けられ、定盤部材２８の上面から＋Ｚ方向に突出する円柱状の部材である。第１溝部３３ａは、取り付け部材２７に形成される凹部である。第１溝部３３ａは、取り付け部材２７を貫通する孔部であるが、有底の凹部でもよい。第１溝部３３ａは、第１ピン３２ａを挿通可能である。第１溝部３３ａの概形は、所定の幅を有する円弧帯状（円環の一部）である。第１溝部３３ａは、その両端部のそれぞれにおいて、第１ピン３２ａとほぼ同じ直径の半円状であり、両端部の間において、幅が均一な曲線帯状である。第１溝部３３ａの幅方向の中心線は、回転中心Ｃ１を中心とする円周の一部である。第１ピン３２ａの中心軸は、第１溝部３３ａの幅方向の中心線上に配置される。取り付け部材２７は、第１溝部３３ａの内壁が第１ピン３２ａの外面に接した状態を維持しながら、第１溝部３３ａ内の第１ピン３２ａの位置が変化するように移動可能である。第１ピン３２ａの直径および第１溝部３３ａの幅は、例えば、第１溝部３３ａの内壁が第１ピン３２ａの外面に沿ってガタつきなく移動可能なように設定される。
【００２７】
第１ガイド部３１ｂは、取り付け部材２７の−Ｙ方向の端部に配置される。第１ガイド部３１ｂは、第１ガイド部３１ａと同様の構成であり、第１ガイド部３１ａと共通する説明については適宜省略あるいは簡略化する。第１ガイド部３１ｂは、第１ピン３２ｂと、第１ピン３２ｂと嵌め合わされる第１溝部３３ｂ（スリット部）とを含む。第１ピン３２ｂは、第１ピン３２ａと同様の構造であり、定盤部材２８（図５（Ａ）参照）から＋Ｚ方向に突出する円柱状である。第１ピン３２ｂは、定盤部材２８において第１ピン３２ａと異なる位置に設けられる。第１溝部３３ｂは、第１ガイド部３１ａと同様に、その内壁が第１ピン３２ｂに接して移動可能である。第１溝部３３ｂの概形は、所定の幅を有する円弧帯状（円環の一部）である。第１溝部３３ｂの幅方向の中心線は、回転中心Ｃ１を中心とする円周の一部であり、この円周の直径が第１溝部３３ａと異なる。
【００２８】
このような第１ガイド部（第１ガイド部３１ａ、第１ガイド部３１ｂ）は、取り付け部材２７の移動経路を、回転中心Ｃ１を中心とした円弧状に規定する。取り付け部材２７は、第１ガイド部３１ａおよび第１ガイド部３１ｂにガイドされ、光学系２Ｌの光軸３Ｌに対する左右方向においてボディ６の中心側（例、中心軸４側）に、回転中心Ｃ１の周りで回転する。取り付け部材２７の回転に伴って、鏡筒５が回転中心Ｃ１の周りで回転し、鏡筒５に支持されている光学系２Ｌも回転中心Ｃ１の周りで回転する。なお、取り付け部材２７は、中心軸４の方向に回転しなくともよく、例えば、左右の光軸３Ｌ、３Ｒを含む面（例、図２のＸＹ平面に平行な面）に垂直、かつ中心軸４を含む面（例、中心軸４を通りＹＺ平面に平行な面）に関して左右の光軸３Ｌ、３Ｒが対称となるように、左眼用の光学系２Ｌと右眼用の光学系２Ｒとで対物レンズ１２が互いに接近する方向に回転すればよい。取り付け部材２７は、例えば、光軸３Ｌ、３Ｒに沿って視点から離れるにつれて光軸３Ｌと光軸３Ｒとの間隔が狭くなるように、回転してもよい。
【００２９】
第１ガイド部３１ａの第１ピン３２ａは、望遠モード（図３の状態）において、第１溝部３３ａにおける＋Ｘ方向の端部と接する。図３の符号Ｐａは、望遠モードにおける第１ピン３２ａと第１溝部３３ａとの接触位置である。また、望遠モードにおいて、第１ガイド部３１ｂの第１ピン３２ｂは、第１溝部３３ｂにおける＋Ｘ方向の端部と接する。図３の符号Ｐｂは、望遠モードにおける第１ピン３２ｂと第１溝部３３ｂとの接触位置である。接触位置Ｐａと接触位置Ｐｂとを結ぶ線Ｌ１は、望遠モードにおける光学系２Ｌの光軸３Ｌと平行である。
【００３０】
本実施形態において、光軸変更部９は弾性体４３を含み、弾性体４３は、取り付け部材２７に対して、中心軸４から離れる方向（−Ｘ方向）の力を加える。すなわち、弾性体４３は、取り付け部材２７を鏡筒５側に押し付ける。弾性体４３は、取り付け部材２７と定盤部材２８との接触面の摩擦力を上回る力を、取り付け部材２７に加える。これにより、接触位置Ｐａにおいて第１溝部３３ａの＋Ｘ方向の端部と第１ピン３２ａとを押し合わされ、接触位置Ｐｂにおいて、第１溝部３３ｂの＋Ｘ方向の端部と第１ピン３２ｂとが押し合わされる。弾性体４３は、第１ガイド部３１ａよりも視点に近い側に配置される。弾性体４３は、例えば巻線ばねであり、ボディ６に設けられるピン４４に取り付けられ、その一端側がボディに固定され、その他端側が取り付け部材２７に固定される。
【００３１】
本実施形態において、光学系２Ｌの光軸３Ｌの回転角は、光学系２Ｌの合焦位置に応じた量に設定される。第２ガイド部（第２ガイド部３７ａ、第２ガイド部３７）は、移動体８の移動と連動して、取り付け部材２７を所定の移動経路に沿って移動させる。取り付け部材２７は、第２ガイド部（第２ガイド部３７ａ、第２ガイド部３７ｂ）により移動経路が規定され、Ｙ方向における移動体８の移動量に応じた移動量だけＸ方向に移動する。
【００３２】
第２ガイド部３７ａおよび第２ガイド部３７ｂは、移動体８の下面側に、中心軸４と平行な方向（Ｙ方向）に並んで設けられる。第２ガイド部３７ａは、自在継手４５の＋Ｘ方向に設けられる。第２ガイド部３７ｂは、第２ガイド部３７ａに対して−Ｙ方向に設けられる。第２ガイド部３７ａは、第２ピン３８と、第２ピン３８と嵌め合わされる第２溝部４０とを含む。図５（Ｃ）に示すように、第２ピン３８は、移動体８に設けられ、移動体８の下面から−Ｚ方向に延びる円柱状である。第２溝部４０は、取り付け部材２７に設けられた貫通孔である。第２ピン３８は、第２溝部４０に挿通される。また、第２ピン３８は、ボディ６を貫通する溝部３９にも挿通される。
【００３３】
図３に示すように、ボディ６に設けられた溝部３９は、光学系２Ｌの光軸３Ｌと平行に直線的に延びるスリット状である。合焦位置の調整時に、第２ピン３８は、溝部３９に沿ってＹ方向に移動する。第２溝部４０は、第１部４１および第２部４２を含む。第１部４１は、望遠モードにおいて、第２ピン３８と接する部分である。第１部４１は、光学系２Ｌの光軸３Ｌと平行に直線帯状に延びるスリット状である。第２ピン３８は、望遠モードにおける合焦位置の調整時に第１部４１と平行に移動し、第１部４１の内壁（取り付け部材２７）に対してＸ方向の力をほぼ与えない。そのため、取り付け部材２７は、望遠モードにおける合焦位置の調整時に、Ｘ方向にほぼ移動しない。
【００３４】
また、第２部４２は、近距離モードにおいて第２ピン３８と接する部分である。第２部４２は、第１部４１から、光学系２Ｌの光軸３Ｌに対する左右方向（−Ｘ方向）に折れ曲がって帯状に延びるスリット状である。第２部４２は、＋Ｙ方向に向かうにつれて中心軸４から離れるように、Ｙ方向に対して傾斜している。第２ピン３８は、第２部４２がＹ方向に対して傾斜しているので、第２部４２と接してＹ方向に移動する際に、第２部４２の内壁に対してＸ方向の力を与える。この力により、取り付け部材２７は、第１ガイド部３１ａおよび第２ガイド部３１ｂに規定された移動経路に沿って、回転中心Ｃ１の周りで回転する。鏡筒５は、取り付け部材２７の回転により回転中心Ｃ１の周りで回転し、鏡筒５に保持された光学系２Ｌも回転中心Ｃ１の周りで回転する。
【００３５】
このように、光学系２Ｌの光軸３Ｌの向きは、取り付け部材２７の回転角により定まり、取り付け部材２７の回転角は、第２部４２のＹ方向に対する傾きおよび第２ピン３８のＹ方向の位置により定まる。ここで、第２ピン３８のＹ方向の位置は、光学系２Ｌの合焦位置に応じた合焦レンズ１４のＹ方向の位置により定まるので、光学系２Ｌの光軸３Ｌの向きを、光学系２Ｌの合焦位置と連動して調整することができる。光学系２Ｌの光軸３Ｌの向きは、ユーザの輻輳角を減らすように設定されるが、そのレベルは任意に設定される。
【００３６】
本実施形態において、光軸変更部９は付与部（付与部３５ａ、付与部３５ｂ）を含み、付与部３５ａおよび付与部３５ｂは、取り付け部材２７とボディ６とを互いに引き寄せる方向に、力を付与する。付与部３５ａおよび付与部３５ｂは、例えば磁石（永久磁石、電磁石）を含み、磁力により力を付与する。付与部３５ａは、取り付け部材２７の＋Ｙ方向の端部に設けられる。付与部３５ｂは、取り付け部材２７の−Ｙ方向の端部に設けられる。付与部３５ａは、付与部３５ｂと同様の構成である。以下、付与部３５ｂを代表的に説明し、付与部３５ａの説明を適宜省略あるいは簡略化する。
【００３７】
付与部３５ｂ（図５（Ｂ）参照）は、定盤部材２８との間に取り付け部材２７を挟むように、配置される。付与部３５ｂは、取り付け部材２７の上面側に固定される。定盤部材２８は、付与部３５ｂから磁力を受ける金属部３６を含む。
【００３８】
金属部３６は、例えば、鉄（マルテンサイト系、フェライト系、オーステナイト・フェライト系（二相系））等の強磁性体材料で形成される。金属部３６は、例えば防錆剤や防錆めっき等の表面処理により、酸化が抑制されている。金属部３６の酸化が抑制されていると、酸化による磁力の低下が抑制される。防錆メッキの処理は、例えば、ニッケルテフロンメッキ等のテフロン樹脂（テフロンは登録商標）を含浸したメッキを金属部３６の母材表面に付与する処理を含む。また、金属部３６は、その形成材料がマルテンサイト系、フェライト系、オーステナイト・フェライト系（二相系）等の強磁性体のステンレスから選択されることにより、酸化が抑制されてもよい。
【００３９】
取り付け部材２７と定盤部材２８は、付与部３５ｂと金属部３６との間の磁力により、互いに接近する方向の力を受けて密着する。これにより、取り付け部材２７は、定盤部材２８から浮き上がることが抑制される。したがって、取り付け部材２７に接続された鏡筒５のＺ方向の移動が抑制され、鏡筒５に支持された光学系２Ｌの光軸３Ｌの上下方向の移動が抑制される。なお、付与部３５ｂは、取り付け部材２７と定盤部材２８とが外力などで閾値以下の距離だけ離間した場合に、取り付け部材２７と定盤部材２８とが再度密着するレベルの磁力を発生する。これにより、取り付け部材２７が外力などにより定盤部材２８から浮き上がった場合でも、磁力により、取り付け部材２７と定盤部材２８とが密着した状態に復帰する。
【００４０】
取り付け部材２７と定盤部材２８との接触面は、取り付け部材２７が定盤部材２８上を容易に滑り、取り付け部材２７がスムーズに移動できるように摩擦が低減されている。例えば、定盤部材２８の表面が金属部３６である場合、取り付け部材２７のうち少なくとも、定盤部材２８（金属部３６）と接触する部分（下面）は、樹脂で形成される。すなわち、付与部３５ｂは、樹脂を介して定盤部材２８（金属部３６）に力を付与する。この樹脂は、例えば、四フッ化エチレン樹脂、ポリアセタール樹脂等でよい。取り付け部材２７は、その全体が樹脂で形成されてもよいし、その一部（例、表面、下面）のみが樹脂で形成されていてもよい。
【００４１】
取り付け部材２７とボディ６（例、定盤部材２８）との摩擦係数は、例えば０．４以下である。取り付け部材２７と定盤部材２８との摩擦係数を０．４以下にするには、例えば、取り付け部材２７の表面（表層）と定盤部材２８の表面（表層）のうち、一方を四フッ化エチレン樹脂またはポリアセタール樹脂で形成し、他方を四フッ化エチレン樹脂、ポリアセタール樹脂、ポリカーボネート樹脂、又はアルミニウム等で形成すればよい。
【００４２】
なお、金属部３６は、定盤部材２８の全体に設けられてもよいし、定盤部材２８の一部に設けられてもよい。例えば、金属部３６は、Ｚ方向から見た場合に付与部３５ｂと重なる領域のみに配置されてもよい。また、取り付け部材２７が金属製であり、定盤部材２８が樹脂製でもよく、この場合、付与部３５ｂは、取り付け部材２７との間に定盤部材２８を挟むように配置される。また、付与部３５ｂは、磁力以外の力（例、弾性力）により、取り付け部材２７と定盤部材２８とを互いに接近させるものでもよい。例えば、付与部３５ｂは、バネなどの弾性体により力を付与してもよい。
【００４３】
なお、取り付け部材２７とボディ６（例、定盤部材２８）との摩擦は、取り付け部材２７と定盤部材２８以外の接触面において低減されていてもよい。例えば、第１ガイド部において、第１溝部（第１溝部３３ａ、第１溝部３３ｂ）の内壁と第１ピン（第１ピン３２ａ、第１ピン３２ｂ）との摩擦係数が０．４以下でもよい。第１溝部の内壁と第１ピンとの摩擦を低減するには、上記した取り付け部材２７の形成材料と定盤部材２８の形成材料との組み合わせを、適用すればよい。また、第２ガイド部において、第２溝部４０の内壁と第２ピン３８との摩擦係数が０．４以下でもよい。第２溝部の内壁と第２ピンとの摩擦を低減するには、上記した取り付け部材２７の形成材料と定盤部材２８の形成材料との組み合わせを、適用すればよい。
【００４４】
ところで、取り付け部材２７とボディ６（例、定盤部材２８）とを磁力により接近させる場合、取り付け部材２７と定盤部材２８との間隔が外力などにより大きくなると、取り付け部材２７と定盤部材２８とを引き寄せる力が弱くなる。そのため、取り付け部材２７と定盤部材２８との間隔が閾値よりも大きくなると、取り付け部材２７と定盤部材２８とが離れた状態から接触した状態に復帰しなくなる。本実施形態において、双眼鏡１は、取り付け部材２７とボディ６との間隔の上限を規制する規制部１０を備える。
【００４５】
規制部１０は、第２ピン３８の下方の端部に設けられる係止部材１０ａ（図５（Ｃ）参照）を含む。係止部材１０ａは、ボディ６に設けられる溝部３９に対して、ボディ６の外側に設けられる。係止部材１０ａは、その外寸が溝部３９の幅よりも大きく、第２ピン３８（移動体８）が＋Ｚ方向に浮き上がることを抑制する。そのため、取り付け部材２７のＺ方向の位置の上限が移動体８の下面により規定され、取り付け部材２７とボディ６（定盤部材２８）との間隔の上限が規定される。係止部材４４は、移動体８が上方に移動することを規制する。なお、規制部１０は、上記の構成に限定されず、例えば、取り付け部材２７を上方から下方に付勢する弾性体を含んでもよい。また、規制部１０は、第１溝部３３ａの幅よりも大きな係止部材が第１ピン３２に設けられ、取り付け部材２７が上方に移動するのを規制することで、取り付け部材２７とボディ６との間隔の上限を規定するものでもよい。
【００４６】
次に、双眼鏡１の動作について説明する。まず、図３を参照しつつ、望遠モードにおける双眼鏡１の動作を説明する。望遠モードにおいて合焦位置を調整する際に、ユーザは合焦ノブ２４を回転させる。合焦ノブ２４を回転させると、合焦軸２３が中心軸４と平行な方向に移動し、移動体８も中心軸４と平行な方向に移動する。移動体８の移動に伴って、合焦レンズ保持部１７および合焦レンズ１４は、中心軸４と平行な方向に移動し、光学系２Ｌの合焦位置は、合焦レンズ１４の位置に応じた合焦位置へ調整される。合焦レンズ１４が移動する際に、第２ガイド部３７ａの第２ピン３８は、第２溝部４０の第１部４１と接触しながらＹ方向と平行に移動し、取り付け部材２７に作用しない。したがって、第１ガイド部３１ａにおいて、第１ピン３２ａと第１溝部３３ａの内壁とが接触位置Ｐａで接触し、かつ第１ピン３２ｂと第１溝部３３ｂの内壁とが接触位置Ｐｂで接触した状態が維持される。よって、光学系２Ｌの光軸３Ｌは、中心軸４と平行な状態に維持される。
【００４７】
次に、近距離モードにおける双眼鏡１の動作を説明する。図６は近距離モードにおける双眼鏡１を上方から見た断面図である。図７は、近距離モードにおける双眼鏡１を示す断面斜視図である。
【００４８】
近距離モードにおいて合焦位置を調整する動作は、遠距離モードと同様である。ここでは、光学系２Ｌの光軸３Ｌの向きを変更する動作について説明する。近距離モードにおいて、移動体８が視点に近づく方向（＋Ｙ方向）へ移動すると、第２ガイド部３７ａの第２ピン３８は、ボディ６に設けられた溝部３９に沿って、第２溝部４０の第２部４２と接触しながら＋Ｙ方向へ移動する。第２ピン３８は、＋Ｙ方向へ移動する際に第２部４２の内壁に＋Ｘ方向の力を与え、取り付け部材２７は、第１ガイド部３１ａおよび第２ガイド部３１ｂにより定められた移動経路に沿って移動し、回転中心Ｃ１の周りで回転する。したがって、取り付け部材２７に接続された鏡筒５が回転中心Ｃ１の周りで回転し、鏡筒５に支持された光学系２Ｌも回転中心Ｃ１の周りで回転する。よって、光学系２Ｌの光軸３Ｌの向きは、視点から離れるにつれて中心軸４に近づく方向に変更される。移動体８と合焦レンズ保持部１７とが自在継手４５で接続する場合、近距離モードにおいて、移動体８の移動方向（中心軸４と平行な方向）と、合焦レンズ保持部１７の移動方向（光学系２Ｌの光軸３Ｌ方向）とが平行でない場合においても、移動体８及び合焦レンズ保持部１７はスムーズに移動する。
【００４９】
ここで、鏡筒５の回転中心について説明する。図８は、回転中心を変更した場合の光軸の比較を示す図である。図８（Ａ）において、回転中心Ｃ２は、接眼レンズ１３のうち最も視点に近いレンズ部材１３ａに対して視点の反対側である。回転中心Ｃ２は、接眼レンズ１３のうち視点から最も遠いレンズ部材１３ｂよりも、視点から遠い（接眼レンズ１３に対して視点の反対側）の位置である。図８（Ｂ）において、回転中心Ｃ１は、接眼レンズ１３のうち最も視点に近いレンズ部材１３ａに位置する。図８（Ｃ）において、鏡筒５の回転中心Ｃ３は、接眼レンズ１３の射出瞳位置に位置する。図８（Ｄ）において、回転中心Ｃ４は、接眼レンズ１３の射出瞳位置（図８（Ｃ）の回転中心Ｃ３）と観察者の瞳位置とを一致させた状態における観察者の眼球中心に位置する。
【００５０】
図８（Ａ）に示すように、回転中心Ｃ２が接眼レンズ１３に対して視点の反対側に位置する場合、望遠モードから近距離モードに変更する際に、光学系２の光軸３の向きは、観察者の瞳位置が開散する方向（中心軸４から外側へ離れる方向）に変化する。また、眼幅ＰＤは、望遠モードから近距離モードに変更の際に広がり、近距離モードから望遠モードに変更の際に狭まるため、モードの変化毎に図２に示す機構による眼幅ＰＤの再調整が必要となる。また、目当て部２２（図４参照）のサイズは、図８に示す他の回転中心の場合と比較して、相対的に大きくなる。一方、鏡筒５を回転させる機構のサイズは、図８に示す他の回転中心の場合と比較して、相対的に小型になる。
【００５１】
また、図８（Ｂ）に示すように、回転中心Ｃ１が接眼レンズ１３の最も視点に近いレンズ部材１３ａ内（例、端面１３ｃ上）に位置する場合、望遠モードから近距離モードに変更する際に、光学系２Ｌの光軸３Ｌの向きは、観察者の瞳位置が開散する方向にずれる。このずれ量は、図８（Ａ）と比較して小さい。また、望遠モード観察から近距離モード（又はその逆）に変更の際に、眼幅ＰＤは変化しない或いは変化量が僅かであるため、眼幅ＰＤの再調整を必要としない。従って、観察時の操作性が非常によい。また、図８（Ｂ）の構成において目当て部２２（図４参照）のサイズは、望遠モードのみの双眼鏡と同等でよい。一方、鏡筒５を回転させる機構のサイズは、図８（Ａ）に示す回転中心の場合と比較して相対的に中型になる。なお、厳密に言えば、回転中心位置Ｃ１が接眼レンズ１３のうち最も視点に近いレンズ部材１３ａの視点側の面（端面１３ｃ）の中心に位置する場合において、望遠モード観察から近距離モード（又はその逆）に変更の際の眼幅ＰＤの変化量はゼロである。
【００５２】
また、図８（Ｃ）に示すように、回転中心Ｃ３が接眼レンズ１３の瞳位置である場合、望遠モードから近距離モードに変更する際に、光学系２Ｌの光軸３Ｌの向きは、観察者が裸眼で対象物を観察する視線と一致する方向になる。これは観察者の眼に負担をかけず、観察者の眼にとって最も好ましい状態である。また、眼幅ＰＤは、図８の他の回転位置の場合と比較して僅かに狭くなるが、眼幅ＰＤの変更を必要とする変化量ではない。眼幅ＰＤが僅かに狭くなるため、目当て部２２（図４参照）のサイズは、図８（Ｂ）に示す回転中心の場合と比較して僅かに大きくてもよい。また、鏡筒５を回転させる機構のサイズは、図８（Ｂ）と比較して僅かに大きくなる。
【００５３】
また、図８（Ｄ）に示すように、回転中心Ｃ４が眼球中心である場合、望遠モードから近距離モードに変更する際に、光学系２Ｌの光軸３Ｌの向きは、観察者の瞳位置が輻輳（収斂）する方向にずれる。また、眼幅ＰＤは、図８（Ｃ）と比較して狭くなる。眼幅ＰＤは、望遠モードから近距離モードに変更の際に狭まり、近距離モードから望遠モードに変更の際に広がるため、モードの変化毎に図２に示す機構による眼幅ＰＤの再調整が必要となる。また、目当て部２２（図４参照）のサイズは、図８に示す他の回転中心の場合と比較して相対的に大きくなる。また、鏡筒５を回転させる機構のサイズは、図８に示す他の回転中心の場合と比較して相対的に大型になる。
【００５４】
以上のように、望遠モードから近距離モードに変更する際の眼幅ＰＤおよび観察者の瞳位置の観点から、回転中心（例、回転中心Ｃ１、回転中心Ｃ３）の位置は、接眼レンズ１３のうち最も視点に近いレンズ部材１３ａ内から接眼レンズ１３の射出瞳位置までの間に設定されることが好ましいといえる。また、回転中心（例、回転中心Ｃ１、回転中心Ｃ３）が接眼レンズ１３のうち最も視点に近いレンズ部材１３ａ内から接眼レンズ１３の射出瞳位置までの間に設定されると、目当て部２２の大型化を避けることができる。なお、図８（Ａ）、（Ｃ）、（Ｄ）に示す回転中心Ｃ２、Ｃ３、Ｃ４とした構成では、光軸変更部９は、一対の鏡筒５の端部のうち、視点に近い端部の間隔、及び、視点と反対側の端部の間隔の双方を変更させる方向に鏡筒５を回転させている。
【００５５】
本実施形態において、双眼鏡１は、対物レンズ１２、接眼レンズ１３、及び対物レンズ１２から接眼レンズ１３までの光路に配置される合焦レンズ１４を含む光学系２と、光学系２を保持する鏡筒５と、鏡筒を支持するボディ６と、合焦レンズ１４を光学系２の光軸方向に移動させ、光学系２の合焦位置を調整する合焦部７と、合焦レンズ１４の移動と連動して鏡筒５を移動させ、光学系２の光軸の向きを光学系の合焦位置に応じて変更する光軸変更部９と、を備え、光軸変更部９は、鏡筒５とボディ６とを接続し、光学系２の光軸３に対する左右方向のボディ６側に回転可能な取り付け部材２７と、取り付け部材２７とボディ６とを互いに引き寄せる方向に力を付与する付与部と、を備える。この場合、付与部により取り付け部材２７の位置を規制することができ、光軸をユーザの視点に対して、上下左右方向に精度よく調整可能である。なお、双眼鏡１において、規制部１０、移動体８、第１ガイド部（第１ガイド部３１ａ、第１ガイド部３１ｂ）、第２ガイド部（第２ガイド部３７ａ、第２ガイド部３７ｂ）、及び弾性体４３の少なくとも１つは、設けられなくてもよいし、上記の実施形態と異なるものでもよい。
【００５６】
また、本実施形態において、双眼鏡１は、対物レンズ１２、接眼レンズ１３、及び対物レンズ１２から接眼レンズ１３までの光路に配置される合焦レンズ１４を含む光学系２と、光学系２を保持する鏡筒５と、鏡筒を支持するボディ６と、合焦レンズ１４を光学系２の光軸方向に移動させ、光学系２の合焦位置を調整する合焦部７と、合焦レンズ１４の移動と連動して鏡筒５を移動させ、光学系２の光軸の向きを光学系２の合焦位置に応じて変更する光軸変更部９と、を備え、光軸変更部９は、接眼レンズ１３内の回転中心Ｃ１の周りで、光学系２の光軸３に対する左右方向のボディ６側に鏡筒５を回転させる。この場合、図８に示したように、光軸をユーザの視点に対して、上下左右方向に精度よく調整可能である。なお、双眼鏡１は、取り付け部材２７、規制部１０、移動体８、第１ガイド部（第１ガイド部３１ａ、第１ガイド部３１ｂ）、第２ガイド部（第２ガイド部３７ａ、第２ガイド部３７ｂ）、弾性体４３、及び付与部３５の少なくとも１つは、設けられなくてもよいし、上記の実施形態と異なるものでもよい。
【００５７】
また、本実施形態において、双眼鏡１は、対物レンズ１２、接眼レンズ１３、及び対物レンズ１２から接眼レンズ１３までの光路に配置される合焦レンズ１４を含む光学系２と、光学系２を保持する鏡筒５と、鏡筒を支持するボディ６と、合焦レンズ１４を光学系２の光軸方向に移動させ、光学系２の合焦位置を調整する合焦部７と、合焦レンズ１４の移動と連動して鏡筒５を移動させ、光学系２の光軸の向きを光学系２の合焦位置に応じて変更する光軸変更部９と、合焦レンズ１４とともに光学系２の光軸方向に移動し、第２ガイド部（第２ガイド部３７ａ、第２ガイド部３７ｂ）により移動経路が定められる移動体８と、を備え、光軸変更部９は、鏡筒５とボディ６とを接続する取り付け部材２７を含み、第２ガイド部（第２ガイド部３７ａ、第２ガイド部３７ｂ）は、移動体８に設けられる第２ピン３８と、取り付け部材２７に設けられ第２ピン３８と嵌め合わされる第２溝部４０とを含む。この場合、移動体８の移動経路が第２ガイド部に定められるので、光軸をユーザの視点に対して、上下左右方向に精度よく調整可能である。なお、双眼鏡１において、規制部１０、第１ガイド部（第１ガイド部３１ａ、第１ガイド部３１ｂ）、弾性体４３、及び付与部３５の少なくとも１つは、設けられなくてもよいし、上記の実施形態と異なるものでもよい。
【００５８】
［第２実施形態］
次に、第２実施形態について説明する。本実施形態において、上述の実施形態と同様の構成については、同じ符号を付してその説明を省略あるいは簡略化する。
【００５９】
図９は、第２実施形態に係る双眼鏡１を上方から見た断面図である。本実施形態の双眼鏡１は、光学系２Ｌの光軸３Ｌに対する左右方向および上下方向のそれぞれの方向において、鏡筒５とボディ６との相対位置を位置調整部４６により調整可能である。位置調整部４６は、例えば偏心カムを利用した機構により鏡筒５の位置を調整し、鏡筒５に保持された光学系２Ｌの光軸３Ｌの向きを調整可能である。位置調整部４６は、例えば、双眼鏡１の製造時に光学系２Ｌの光軸３Ｌの位置を微調整することに利用される。本実施形態において、左右一対の光学系２（左眼用の光学系２Ｌ、右眼用の光学系２Ｒ）、鏡筒５、合焦部７、移動体８、規制部１０及び光軸変更部９は、第１実施形態と同様であるが、第１実施形態と異なってもよい。
【００６０】
本実施形態のボディ６は、位置調整部４６を介して鏡筒５を支持する。位置調整部４６は、取り付け部材２７と、第１回転部材４７と、第２回転部材５１とを含む。取り付け部材２７は、鏡筒５とボディ６とを接続する。取り付け部材２７は、ボディ６と接して左右方向に相対的に移動可能である。第１回転部材４７は、取り付け部材２７とボディ６との接続部分に設けられ、ボディ６に対して取り付け部材２７の左右方向の位置を調整することに利用される。また、取り付け部材２７は、鏡筒５と接して上下方向に相対的に移動可能である。第１回転部材４７は、取り付け部材２７と鏡筒５との接続部分に設けられ、取り付け部材２７に対する鏡筒５の上下方向の位置を調整することに利用される。
【００６１】
図１０は、第１回転部材４７を拡大して示す図である。図１０（Ａ）〜図１０（Ｃ）には、それぞれ、第１回転部材４７の回転角が異なる状態を示した。また、図１０（Ａ）〜図１０（Ｃ）には、それぞれ、＋Ｚ方向から見た平面図、−Ｙ方向から見た断面図、及び＋Ｘ方向から見た断面図を示した。
【００６２】
図１０（Ａ）に示すように、第１回転部材４７は、嵌合軸４８と、偏心軸４９と、を有する。嵌合軸４８は、円柱状であり、ボディ６の定盤部材２８に回転可能に支持される。嵌合軸４８は、Ｚ方向に平行な回転中心Ｃ５を中心として回転可能に支持される。偏心軸４９は、嵌合軸４８の上に設けられる。偏心軸４９は、円柱状（円盤状）であり、その中心軸がＸＹ平面において回転中心Ｃ５とずれている。取り付け部材２７には、第１貫通孔５０が設けられており、偏心軸４９の外周面は、第１貫通孔５０の内壁と接している。偏心軸４９の外周面は、左右方向（Ｘ方向）の両端部（ＸＺ面の断面参照）で第１貫通孔５０の内壁と接しており、Ｙ方向の両端部（ＹＺ面の断面参照）で第１貫通孔５０の内壁から離れている。
【００６３】
図１０（Ａ）の状態では、Ｘ方向において、偏心軸４９の中心と第１貫通孔５０の中心とがほぼ一致しており、Ｙ方向において、偏心軸４９の中心と第１貫通孔５０の中心とがずれている。図１０（Ｂ）は、第１回転部材４７を、図１０（Ａ）の状態から時計回りを正として９０°回転した状態である。この状態において、偏心軸４９の＋Ｘ方向の端部は、図１０（Ａ）の状態よりも＋Ｘ方向に移動し、取り付け部材２７を＋Ｘ方向に移動させる。また、図１０（Ｃ）は、第１回転部材４７を、図１０（Ａ）の状態から時計回りを正として−９０°回転した状態である。この状態において、偏心軸４９の−Ｘ方向の端部は、図１０（Ａ）の状態よりも−Ｘ方向に移動し、取り付け部材２７を−Ｘ方向に移動させる。ここでは、第１回転部材４７を図１０（Ａ）の状態から±９０°回転させた例を示したが、取り付け部材２７は、第１回転部材４７の回転角に応じた移動量でＸ方向に移動する。
【００６４】
図９に示した第２回転部材５１は、第１回転部材４７と同様の機構により、鏡筒５を取り付け部材２７に対して上下方向に移動させる。第２回転部材５１は、嵌合軸５３と、偏心軸５４とを有する。嵌合軸５３は、鏡筒５に回転可能に設けられる。偏心軸５４は、取り付け部材２７に設けられた第２貫通孔５２に挿通される。偏心軸５４の外面は、Ｚ方向において第２貫通孔５２の内壁と接し、Ｘ方向において第２貫通孔５２の内壁から離れている。偏心軸５４の中心は、嵌合軸５２の中心とずれており、嵌合軸５２を回転させると偏心軸５４の外面が第２貫通孔５２の内壁をＺ方向に押すことにより、その反作用として鏡筒５がＺ方向に移動する。本実施形態のように、左右方向の位置調整を行う機構（例、第１回転部材４７）と、上下方向の位置調整を行う機構（例、第２回転部材５１）とを分けると、左右方向の位置と上下方向の位置とを独立して調整可能になり、位置調整を効率よくかつ高精度に行うことができる。以上のように、本実施形態の双眼鏡１は、光軸をユーザの視点に対して、上下左右方向に精度よく調整可能である。なお、双眼鏡１は、第１実施形態と第２実施形態とを組み合わせた形態でもよい。
【００６５】
なお、第２回転部材５１及び第２貫通孔５２は、複数設けられていてもよい。また、第２回転部材５１及び第２貫通孔５２は、図９等に示すものに限定されない。例えば、第２回転部材５１が鏡筒５に設けられる第２貫通孔５２を通り、取り付け部材２７に回転可能に支持されてもよい。また、第２回転部材５１はなくてもよい。また、第２貫通孔５２はなくてもよい。
【符号の説明】
【００６６】
１・・・双眼鏡、２、２Ｌ、２Ｒ・・・光学系、３、３Ｌ、３Ｒ・・・光軸、４・・・中心軸、５・・・鏡筒、６・・・ボディ、７・・・合焦部、８・・・移動体、９・・・光軸変更部、１０・・・規制部、１２・・・対物レンズ、１３・・・接眼レンズ、１４・・・合焦レンズ、２７・・・取り付け部材、３１ａ、３１ｂ・・・第１ガイド部、３２、３２ａ、３２ｂ・・・第１ピン、３３ａ、３３ｂ・・・第１溝部、３５、３５ａ、３５ｂ・・・付与部、３６・・・金属部、３７ａ、３７ｂ・・・第２ガイド部、３８ａ、３８ｂ・・・第２ピン、４０、４０ａ、４０ｂ・・・第２溝部、４１・・・第１部、４２・・・第２部、４３・・・弾性体、４５・・・自在継手、４６・・・位置調整部、４７・・・第１回転部材、５０・・・第１貫通孔、５１・・・第２回転部材、５２・・・第２貫通孔、Ｃ１・・・回転中心、Ｌ１・・・線、Ｐａ、Ｐｂ・・・接触位置
【図１】
2017069188.tif 000003
【図２】
2017069188.tif 000004
【図３】
2017069188.tif 000005
【図４】
2017069188.tif 000006
【図５】
2017069188.tif 000007
【図６】
2017069188.tif 000008
【図７】
2017069188.tif 000009
【図８】
2017069188.tif 000010
【図９】
2017069188.tif 000011
【図１０】
2017069188.tif 000012
【国際調査報告】
2017069188.tif 000013
2017069188.tif 000014
2017069188.tif 000015
2017069188.tif 000016